(57)【要約】【課題】  携帯端末機器に実装される充電式電池の種類を検出し、検出された電池の種類に応じて、携帯端末機器における使用可能な機能を制限することを特徴とする携帯端末機器の電池部実装構造、実装電池識別方法を提供する。【解決手段】  携帯端末機器の電池実装部にスイッチを設け、実装される充電式電池の実装接触部に配置される凸部の有無によって上記スイッチが押下される、または、押下されない構造とする。これにより、実装される充電式電池の種類を検出し、検出された電池の電池容量、電流許容値情報により、携帯端末機器における使用可能な機能を制限する。【選択図】図２Ａ
2005235480.tif 000002
【特許請求の範囲】
【請求項１】
携帯端末機器本体と、
電池と
を具備し、
前記携帯端末機器本体は、電池実装部と、電池種別検出部を有し、
前記電池は種別識別部を有し、
前記電池実装部に前記電池が実装されると、前記電池種別検出部と前記種別識別部が嵌合されて、前記電池種別検出部により前記電池の種別が検出される携帯端末機器。
【請求項２】
請求項１に記載の携帯端末機器であって、前記携帯端末機器本体は、さらに回路部を備え、前記回路部により、前記電池種別検出部により検出された前記電池の種別に対応した機能制限が、前記携帯端末機器本体に設定される携帯端末機器。
【請求項３】
請求項１において、前記電池種別検出部は押下式のスイッチであり、前記種別識別部は、前記電池実装部に前記電池が実装されて、前記電池種別検出部と前記種別識別部が嵌合された時に、前記電池の筐体に配置された前記押下式のスイッチを押下する凸部の有無である携帯端末機器。
【請求項４】
請求項１において、前記電池種別検出部は押下式のスイッチであり、前記スイッチは防水部材で被覆され、前記種別識別部は、前記電池実装部に前記電池が実装されて、前記電池種別検出部と前記種別識別部が嵌合された時に、前記電池の筐体に配置された前記押下式のスイッチを押下する凸部の有無である携帯端末機器。
【請求項５】
請求項２および３において、前記押下式のスイッチは多段式であり、前記種別識別部は前記多段式の各々の押下深さに対応した複数の高さの凸部の有無である携帯端末機器。
【請求項６】
請求項３において、前記防水部材はゴムである携帯端末機器。
【請求項７】
携帯端末機器本体と、
電池と
を具備し、
前記携帯端末機器本体は、電池実装部と、電池種別検出部と、回路部を有し、
前記電池は種別識別部を有し、
前記電池実装部に前記電池が実装されるステップと、
前記電池種別検出部と前記種別識別部が嵌合されて、前記電池種別検出部により前記電池の種別が検出さるステップと、
前記電池種別検出部により検出された、前記電池の種別に対応した機能制限が、前記回路部により、前記携帯端末機器本体に設定されるステップと
を備える携帯端末機器の実装電池識別方法。
【発明の詳細な説明】
【技術分野】
【０００１】
本発明は、携帯端末機器に関し、特に電池部実装構造と実装電池識別方法に関する。
【背景技術】
【０００２】
従来の携帯端末機器の電池部実装構造について説明する。従来の携帯端末機器の電池部実装構造においては、次のような課題がある。
【０００３】
第１の課題は、従来の携帯端末機器の電池部実装構造は、携帯端末機器本体の設計工数削減等の目的により、旧機器の流用設計となる場合が多い。このため実装する電池に、電池容量または許容電流値が増加する等の仕様変更による筐体の形状変更が生じた場合でも、高密度実装されている携帯端末機器では、異種電池の誤挿入防止対策として設ける凹凸を追加するスペースが極めて少ないのが現状である。そして、上記のように更新された実装電池の微小な形状の違いでは、ユーザが気づかずに携帯端末本体に更新された電池を無理に押し込むことにより、携帯端末機器本体および実装電池が変形して嵌め込まれてしまうという問題があった。
【０００４】
第２の課題は、旧機器の充電式電池が新機器へ実装不可能なため、旧機器から新機器へ買い替えた場合、旧機器で使用していた充電式電池は、新機器において使用不可能となってしまう。
【０００５】
第３の課題は、新機器に対して、旧機器の充電式電池が誤挿入されないような構成を取れない場合、一般に電池性能の劣る旧機器の充電式電池を使用すると、電池の使用時間が極端に短くなり、二次電池の容量まで使い切ってしまう可能性がある。
【０００６】
上記した問題に対して以下のような提案がなされている。
【０００７】
まず、「電池種別検出装置；特開２００２−９８７４３」では、携帯電話機等の装置と、該装置に電源を供給する電池パックとを備える電池種別検出装置が提案されている。上記電池パックには、充電電池セルおよび該充電電池セルの種別を検出する電池種別検出用抵抗が備えられる。そして、上記電池種別検出装置では、この検出用抵抗値を変更することにより上記充電電池セルの電池種別を検出する電池種別検出手段を有することを特徴としている。
【０００８】
また、「無線電話装置の低電圧検出装置；特開平５−４８４８５」では、電池ケースに設けられた電池の種類を識別する電池種類識別用端子と、上記電池の電圧を検出するディジタル変換するアナログ／ディジタルコンバータと、このアナログ／ディジタルコンバータで得られた数値の低電圧検出値を変える中央処理装置とを備えた無線電話装置の低電圧検出装置を提案している。
【０００９】
また，「携帯電話装置；特開平６−４５９８１」では、種類の異なる電池を交換して使用でき、かつ、実装する電池の種類に応じて終止電圧を設定する手段を有することを特徴とする携帯電話装置を提案している。
【００１０】
また、「バッテリーパックおよび携帯型電子機器システム；特開平６−２５９１６９」では、電源回路制御用マイコンを装備する携帯型電子機器の駆動源であり、自身の種別および容量等の制御用情報を格納する手段を有したバッテリーパックが提案されている。
【００１１】
【特許文献１】特開２００２−９８７４３号公報
【特許文献２】特開平５−４８４８５号公報
【特許文献３】特開平６−４５９８１号公報
【特許文献４】特開平６−２５９１６９号公報
【発明の開示】
【発明が解決しようとする課題】
【００１２】
本発明の目的は、実装される充電式電池の種類を検出し、検出された電池の種類に応じて、携帯端末機器における使用可能な機能を制限することができる携帯端末機器の電池部実装構造、実装電池識別方法を提供することである。
【課題を解決するための手段】
【００１３】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１４】
本発明の携帯端末機器は、携帯端末機器本体（１）、（１１）と、電池（４）、（６）とを備え、携帯端末機器本体（１）、（１１）は、電池実装部（１a）、（１１a）と、電池種別検出部（２）、（１２）と、回路部（５）、（１５）を有し、電池（４）、（６）は種別識別部（４ｂ）、（６ｂ）を有し、電池実装部（１a）、（１１a）に電池（４）、（６）が実装されると、電池種別検出部（２）、（１２）と種別識別部（４ｂ）、（６ｂ）が嵌合されて、電池種別検出部（２）、（１２）により電池の種別が検出される。
【００１５】
また、本発明の携帯端末機器は、請求項１に記載の携帯端末機器であって、携帯端末機器本体（１）、（１１）は、さらに回路部（５）、（１５）を備え、回路部（５）、（１５）により、電池種別検出部（２）、（１２）により検出された電池の種別に対応した機能制限が、携帯端末機器本体（１）、（１１）に設定される。
【００１６】
また、本発明の携帯端末機器は、請求項１において、電池種別検出部（２）は押下式のスイッチであり、種別識別部（４ｂ）、（６ｂ）は、電池実装部（１a）に電池（４）、（６）が実装されて、電池種別検出部（２）と種別識別部（４ｂ）、（６ｂ）が嵌合された時に、電池（４）、（６）の筐体に配置された押下式のスイッチを押下する凸部の有無である。
【００１７】
また、本発明の携帯端末機器は、請求項１において、電池種別検出部（１２）は押下式のスイッチであり、スイッチは防水部材（１６）で被覆され、種別識別部（４ｂ）、（６ｂ）は、電池実装部（１１a）に電池（４）、（６）が実装されて、電池種別検出部（１２）と種別識別部（４ｂ）、（６ｂ）が嵌合された時に、電池（４）、（６）の筐体に配置された押下式のスイッチを押下する凸部の有無である。
【００１８】
また、本発明の携帯端末機器は、請求項２および３において、押下式のスイッチ（２）、（１２）は多段式であり、種別識別部（４ｂ）、（６ｂ）は多段式の各々の押下深さに対応した複数の高さの凸部の有無である。
【００１９】
また、本発明の携帯端末機器は、請求項３において、防水部材（１６）はゴムである。
【００２０】
また、本発明の携帯端末機器の実装電池識別方法は、携帯端末機器本体（１）、（１１）と、電池（４）、（６）とを備え、携帯端末機器本体（１）、（１１）は、電池実装部（１a）、（１１a）と、電池種別検出部（２）、（１２）と、回路部（５）、（１５）を有し、電池（４）、（６）は種別識別部（４ｂ）、（６ｂ）を有し、電池実装部（１a）、（１１a）に電池（４）、（６）が実装されるステップと、電池種別検出部（２）、（１２）と種別識別部（４ｂ）、（６ｂ）が嵌合されて、電池種別検出部（２）、（１２）により電池（４）、（６）の種別が検出さるステップと、電池種別検出部（２）、（１２）により検出された、電池（４）、（６）の種別に対応した機能制限が、回路部（５）、（１５）により、携帯端末機器本体（１）、（１１）に設定されるステップとを備える。
【発明の効果】
【００２１】
以上説明したように、本発明においては、以下に記載するような効果を奏する。
【００２２】
第１の効果は、旧型あるいは新型といった種類の異なる充電式電池の筐体形状
を近似形状にすることにより、旧機器の充電式電池を流用できることである。第２の効果は、携帯端末機器の電池実装部にスイッチを設けることにより、実装された充電式電池の種類を検知し、プリント基板上に搭載される制御回路にて、携帯端末機器の機能を、搭載された当該充電式電池で対処可能な範囲に制限し、電池の浪費を防止することができることである。
【発明を実施するための最良の形態】
【００２３】
添付図面を参照して、本発明による携帯端末機器の電池部実装構造、実装電池識別方法を実施するための最良の形態を以下に説明する。
【００２４】
本発明は、携帯端末機器本体の電池実装部において、特に種類の異なる充電式電池が実装されていることを検出する構造を有することを特徴としている。
【００２５】
（第１の実施形態）
図１に、本発明の第１の実施形態に係わる、携帯端末機器本体１の電池実装部１ａへの電池実装前の構成斜視図を示す。携帯端末機器本体１は電池実装部１ａおよびスイッチ２を備える。電池実装部１ａには、本体内部の背高部品逃げである凸部1ｂがあり、凸部1ｂ上には電池端子３が設置されている。電池実装部１ａの凸部１ｂの長手方向端部には凹部１ｃが配置され、凹部１ｃにはスイッチ２が設置されている。
【００２６】
［第１の充電式電池実装時］
充電式電池４は、携帯端末機器本体１の電池実装部１ａに寸間なく嵌合されるために、電池実装部１ａと同形状の筐体外形となる。充電式電池４の筐体には、電池実装部１ａの凸部１ｂに対応する凹部４ａが形成され、凹部４ａの端部には、電池実装部１ａの凹部１ｃに対応する凸部４ｂを備える。また、充電式電池４の凹部4aには、電池実装部１ａの電池端子３に配置された電池端子接点部３ａ、３ｂ、３ｃの各々に対応する電池接点部４ｃ、４ｄ、４ｅが配置される。充電式電池４が携帯端末機器本体１に実装されると、携帯端末機器本体１の電池端子３に配置されている電池端子接点部３ａ、３ｂ、３ｃと、充電式電池４に配置されている電池接点部４ｃ、４ｄ、４ｅがそれぞれ導通し、かつ、充電式電池４の凸部４ｂが携帯端末機器１に配置されているスイッチ２の上下に可動可能な頭部２ａを押下し、スイッチ２が「ＯＮ」となる構成になっている。
【００２７】
図２Ａに、図１のＡ−Ａ’線に沿う携帯端末機器本体１への充電式電池４実装前の構成断面図を示す。また、図２Ｂに図１のＡ−Ａ’線に沿う携帯端末機器本体１への充電式電池４実装時の構成断面図を示す。図２Ａおよび図２Ｂに示されるように、充電式電池４実装時に、充電式電池４の凸部４ｂが携帯端末機器本体１のスイッチ２の頭部２ａを押下する。スイッチ２が「ＯＮ」状態になることにより、携帯端末機器本体１のプリント基板５上に搭載される回路（図示せず）のＣＰＵにより、同じく回路のメモリに格納された検出用プログラムが実行され、同じく回路上のメモリに格納されたスイッチの状態と搭載電池の種別対応表が参照され、スイッチの状態と一致した種別の電池が、実装された充電式電池４の種別として判断される。
【００２８】
[第２の充電式電池実装時]
図３に、本発明の第１の実施形態に係わる、携帯端末機器本体１の電池実装部１ａへの第２の充電式電池６実装前の構成斜視図を示す。充電式電池６が携帯端末機器本体１に実装されると、携帯端末機器本体１の電池端子３に配置されている電池端子接点部３ａ、３ｂ、３ｃと、充電式電池６に配置されている電池接点部６ｃ、６ｄ、６ｅがそれぞれ導通する。但し、充電式電池６の凸部６ｂはスイッチ２の上下に可動可能な頭部２ａを押下しないように、図１の充電式電池４の凸部４ｂに対し短く、スイッチ２が「ＯＦＦ」のままとなる構成になっている。
【００２９】
図４Ａに図３のＢ−Ｂ’線に沿う携帯端末機器本体１への充電式電池６実装前の構成断面図を示す。また、図４Ｂに図３のＢ−Ｂ’線に沿う携帯端末機器本体１への充電式電池６実装時の構成断面図を示す。図４Ａおよび図４Ｂに示されるように、携帯端末機器本体１への充電式電池６実装時に、充電式電池６の凸部６ｂが携帯端末機器１のスイッチ２の頭部２ａを押下せず、スイッチ２が「ＯＦＦ」状態になることにより、携帯端末機器本体１のプリント基板５上に搭載される回路（図示せず）のＣＰＵにより、同じく回路のメモリに格納された検出用プログラムが実行され、同じく回路上のメモリに格納されたスイッチの状態と搭載電池の種別対応表が参照され、スイッチの状態と一致した種別の電池が、実装された充電式電池６の種別として判断される。
【００３０】
このように、第１の実施形態における第１および第２の充電式電池４、６実装時には、携帯端末機器本体１の電池実装部１ａに設けられたスイッチ２が、充電式電池４、６の凸部４ｂ、６ｂによって押下される、あるいは押下されないように構成されているので、既述したように、スイッチ２の「ＯＮ」、あるいは「ＯＦＦ」の状態を基板５上の回路（図示せず）で検出することにより、スイッチの状態に対応した充電式電池の種類を判断できる。
【００３１】
また、実装された電池の種類が判ると、基板５上の回路（図示せず）のＣＰＵにより、同じく回路のメモリに格納された制御用プログラムが実行され、同じく回路上のメモリに格納された搭載電池の種類と携帯端末機器本体の使用できる機能の対応表が参照され、実装された電池の電池容量、許容電流に基づき、携帯端末機器本体１で使用できる機能が制限され、効率の良い使用をすることができる。
【００３２】
以上、第１の充電式電池２および第２の充電式電池６の実装の記述にあるように、携帯端末機器本体１に充電式電池４あるいは充電式電池６のどちらかが搭載されると、基板５上の搭載回路（図示せず）により電池の種類が判断され、また、実装された電池の電池容量や許容電流値などに見合った機能のみが使えるよう、携帯端末機器本体１に機能制限が設定される。
【００３３】
（第２の実施形態）
図５に本発明の第２の実施形態に係わる、携帯端末機器本体１１への充電式電池４取付前の構成斜視図を示す。本発明の第２の実施形態は、その基本的構成は第１の実施形態と同様であるが、携帯端末機器本体１１のスイッチ１２周縁部に防水構造を施している点が異なっている。図５において、携帯端末機器本体１１の電池実装部１１ａには、本体内部の背高部品逃げである凸部１１ｂがあり、凸部１１ｂ上には電池端子１３が設置されている。電池実装部１１ａの凸部１１ｂの長手方向端部には凹部１１ｃが配置され、凹部１１ｃにはスイッチ１２が設置され、同時にスイッチ１２のために開けた穴を塞ぐ防水パッキン１６が設置されている。充電式電池４が携帯端末機器本体１１に実装されると、携帯端末機器本体１１の電池端子１３に配置されている電池端子接点部１３ａ、１３ｂ、１３ｃと、充電式電池４に配置されている電池接点部４ｃ、４ｄ、４ｅがそれぞれ導通し、かつ、充電式電池４の凸部４ｂが防水パッキン１６の頭部１６ａを介し、携帯端末機器１１に配置されているスイッチ１２の上下に可動可能な頭部１２ａを押下し、スイッチ１２が「ＯＮ」となる構成になっている。図６Ａに図５のC−C’線に沿う携帯端末機器本体１１への充電式電池４実装前の構成断面図を示す。また、図６Ｂに図５のC−C’線に沿う携帯端末機器本体１１への充電式電池４実装時の構成断面図を示す。
【００３４】
図６Ａおよび図６Ｂに示されるように、充電式電池４実装時に、充電式電池６の凸部４ｂが防水パッキン１６の頭部１６ａを介し、スイッチ１２の頭部１２ａを押下し、スイッチ２が「ＯN」状態になることにより、携帯端末機器本体１１のプリント基板５上に搭載される回路（図示せず）のＣＰＵにより、同じく回路のメモリに格納された検出用プログラムが実行され、同じく回路上のメモリに格納されたスイッチの状態と搭載電池の種別対応表が参照され、スイッチの状態と一致した種別の電池が、実装された充電式電池４の種別として判断される。
【００３５】
また、第２の実施形態における第２の充電式電池６実装時は、第１の実施形態における第２の充電式電池６実装時と同じ原理により、携帯端末機器本体１１の電池実装部１１ａに設けられたスイッチ１２が、充電式電池６の凸部６bによって押下されないように構成されているので、スイッチ１２の「ＯＦＦ」の状態を基板５上の回路（図示せず）で検出することにより、スイッチの状態に対応した充電式電池の種類を判断できる。
【００３６】
また、実装された電池の種類が判ると、基板５上の回路（図示せず）のＣＰＵにより、同じく回路のメモリに格納された制御用プログラムが実行され、同じく回路上のメモリに格納された搭載電池の種類と携帯端末機器本体の使用できる機能の対応表が参照され、実装された電池の電池容量、許容電流に基づき、携帯端末機器本体１１で使用できる機能が制限され、効率の良い使用をすることができる。
【００３７】
以上の本発明に係わる第２の実施形態では、携帯端末機器本体１１の電池実装部１１aの凸部１１ｂの端部である凹部１１cにおいて、スイッチ１２のために開けた穴を塞ぐ防水パッキン１６が設置しているので、電池実装部１１aのスイッチ１２からの防水効果が得られる。
【００３８】
（その他の実施形態）
本発明のその他の実施形態として、第１の実施形態および第２の実施形態の携帯端末機器本体１、１１のスイッチ２、１２を単段の押下式のものから多段式の押下式スイッチに置き換えることもできる。当該スイッチが多段式になることにより、携帯端末機器本体１、１１で検出できる実装電池の種別は単段式スイッチによる２種類から、多段式のスイッチの段数に拡張できる。その際、実装する充電式電池の筐体に配置される上記多段式スイッチを押下する凸部の高さも、充電式電池の種類に応じて識別する。
【図面の簡単な説明】
【００３９】
【図１】本発明の第１の実施形態に係わる、携帯端末機器電池実装部への第１電池実装前の構成斜視図を示す。
【図２Ａ】図１のＡ−Ａ’線に沿う携帯端末機器への第１電池実装前の構成断面図を示す。
【図２Ｂ】図１のＡ−Ａ’線に沿う携帯端末機器への第１電池実装時の構成断面図を示す。
【図３】本発明の第１の実施形態に係わる、携帯端末機器電池実装部への第２電池実装前の構成斜視図を示す。
【図４Ａ】図３のＢ−Ｂ’線に沿う携帯端末機器への第２電池実装前の構成断面図を示す。
【図４Ｂ】図３のＢ−Ｂ’線に沿う携帯端末機器への第２電池実装時の構成断面図を示す。
【図５】本発明の第２の実施形態に係わる、携帯端末機器電池実装部への電池実装前の構成斜視図を示す。
【図６Ａ】図５のＣ−Ｃ’線に沿う携帯端末機器への電池実装前の構成断面図を示す。
【図６Ｂ】図５のＣ−Ｃ’線に沿う携帯端末機器への電池実装時の構成断面図を示す。
【符号の説明】
【００４０】
１、１１…携帯端末機器本体
１ａ、１１ａ…電池実装部
１ｂ、１１ｂ…電池実装部凸部
１ｃ、１１ｃ…電池実装部凸部の端部凹部
２、１２…スイッチ
２ａ、１２ａ…スイッチ頭部
３、１３…電池端子
３ａ、１３ａ…電池端子接点部
３ｂ、１３ｂ…電池端子接点部
３ｃ、１３ｃ…電池端子接点部
４、６…充電式電池
４ａ、６ａ…充電式電池凹部
４ｂ、６ｂ…充電式電池凸部
４ｃ、６ｃ…電池接点部
４ｄ、６ｄ…電池接点部
４ｅ、６ｅ…電池接点部
５…プリント基板
１６…防水パッキン
１６ａ…防水パッキン頭部
【図１】
2005235480.tif 000003
【図２Ａ】
2005235480.tif 000004
【図２Ｂ】
2005235480.tif 000005
【図３】
2005235480.tif 000006
【図４Ａ】
2005235480.tif 000007
【図４Ｂ】
2005235480.tif 000008
【図５】
2005235480.tif 000009
【図６Ａ】
2005235480.tif 000010
【図６Ｂ】
2005235480.tif 000011